(57)【要約】【課題】ＧＣＬシーケンスをリファレンス信号シーケンスにマッピングした場合、少ないシステムオーバーヘッド、高い検出特性を持つ同期チャネルおよびこれを用いたセルサーチを行なう。【解決手段】ＯＦＤＭ方式で無線信号を送信するＯＦＤＭ送信装置１０であって、少なくとも伝搬路推定に用いるリファレンス信号、スクランブリングコード信号、並びに、グループスクランブリングインデックスおよび／またはセル固有情報インデックス（セル構成ＩＤ）を含む同期チャネル信号を生成する制御信号生成部１２と、前記リファレンス信号および同期チャネル信号を所定のサブキャリアにマッピングすると共に、前記スクランブリングコードをＯＦＤＭ信号に乗算するチャネルマッピング部１３と、を備える。【選択図】図１
2008103959.tif 000002
【特許請求の範囲】
【請求項１】
ＯＦＤＭ方式で無線信号を送信するＯＦＤＭ送信装置であって、
少なくとも伝搬路推定に用いるリファレンス信号、スクランブリングコード信号、並びに、グループスクランブリングインデックスおよび／またはセル固有情報インデックスを含む同期チャネル信号を生成する制御信号生成部と、
前記リファレンス信号および同期チャネル信号を所定のサブキャリアにマッピングすると共に、前記スクランブリングコードをＯＦＤＭ信号に乗算するチャネルマッピング部と、を備えることを特徴とするＯＦＤＭ送信装置。
【請求項２】
前記制御信号生成部は、相互に異なるシステム周波数帯域幅を示すセル固有情報インデックスを含む複数種類の異なる同期チャネル信号を生成することを特徴とする請求項１記載のＯＦＤＭ送信装置。
【請求項３】
ＯＦＤＭ方式で送信された無線信号を受信するＯＦＤＭ受信装置であって、
受信した信号から、少なくとも伝搬路推定に用いるリファレンス信号、スクランブリングコード信号、並びに、グループスクランブリングインデックスおよび／またはセル固有情報インデックスを含む同期チャネル信号を抽出する制御信号抽出部と、
前記抽出されたリファレンス信号のリファレンスシーケンスインデックスと、前記抽出された同期チャネル信号のグループスクランブリングインデックスとに基づいてセル物理レイヤインデックスを算出するセルサーチ部と、を備えることを特徴とするＯＦＤＭ受信装置。
【請求項４】
前記セルサーチ部は、
キャリア周波数オフセットおよびＯＦＤＭシンボルタイミングの検出を行なう時間・周波数同期部と、
複数の同期チャネル信号から、最大の受信電力を有する同期チャネルにマッピングされた同期シーケンスインデックスを同定し、グループスクランブリングインデックスおよび／またはセル固有情報インデックスを出力する同期シーケンスインデックス同定部と、
前記リファレンス信号に基づいて、リファレンス信号の受信電力情報およびリファレンスシーケンスインデックスを出力するリファレンス信号処理部と、
前記リファレンスシーケンスインデックスと、前記抽出された同期チャネル信号のグループスクランブリングインデックスとを乗算し、セル物理レイヤインデックスを算出する乗算部と、を備えることを特徴とする請求項３記載のＯＦＤＭ受信装置。
【請求項５】
前記制御信号抽出部は、相互に異なるシステム周波数帯域幅を示すセル固有情報インデックスを含む複数種類の異なる同期チャネル信号を抽出し、
前記同期シーケンスインデックス同定部は、第１の同期チャネル信号に含まれている第１のグループスクランブリングインデックおよびセル固有情報インデックスを同定し、このセル固有情報インデックスに基づいて、後続の同期チャネル信号の有無を判断し、後続の同期チャネル信号がある場合は、その後続の同期チャネル信号について、さらにグループスクランブリングインデックおよびセル固有情報インデックスを同定することを特徴とする請求項４記載のＯＦＤＭ受信装置。
【請求項６】
請求項１または請求項２記載のＯＦＤＭ送信装置を備えることを特徴とする基地局装置。
【請求項７】
請求項３から請求項５のいずれかに記載のＯＦＤＭ受信装置を備えることを特徴とする移動局装置。
【請求項８】
請求項６記載の基地局装置と、請求項７記載の移動局装置と、から構成されることを特徴とするＯＦＤＭ通信システム。
【請求項９】
ＯＦＤＭ方式で無線信号を送受信する無線通信システムの送信側において、
少なくとも伝搬路推定に用いるリファレンス信号、スクランブリングコード信号、並びに、グループスクランブリングインデックスおよび／またはセル固有情報インデックスを含む同期チャネル信号を生成し、前記リファレンス信号および同期チャネル信号を所定のサブキャリアにマッピングすると共に、前記スクランブリングコードをＯＦＤＭ信号に乗算して送信する場合のセルサーチ方法であって、
受信側において、受信した信号から、少なくとも伝搬路推定に用いるリファレンス信号、スクランブリングコード信号、並びに、グループスクランブリングインデックスおよび／またはセル固有情報インデックスを含む同期チャネル信号を抽出し、
前記抽出されたリファレンス信号のリファレンスシーケンスインデックスと、前記抽出された同期チャネル信号のグループスクランブリングインデックスとに基づいてセル物理レイヤインデックスを算出することを特徴とするセルサーチ方法。
【発明の詳細な説明】
【技術分野】
【０００１】
本発明は、ＯＦＤＭ方式で無線通信を行なう基地局装置、移動局装置、ＯＦＤＭ通信システムおよびセルサーチ方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式が第三世代セルラー移動通信方式として標準化され、順次サービスが開始されている。Ｗ−ＣＤＭＡ方式の一つは、５ＭＨｚ無線周波数帯域幅を持つＦＤＤのスペクトル拡散方式であり、各無線物理チャネルは拡散符号により区別され、符号多重され、同じ無線周波数帯域幅により伝送されている。
【０００３】
Ｗ−ＣＤＭＡ方式では、移動局から基地局への無線リンク（以下、「上りリンク」と呼称する。）と、基地局から移動局への無線リンク（以下、「下りリンク」と呼称する。）とがある。Ｗ−ＣＤＭＡの下りリンクの無線チャネルは、制御チャネルと、トラフィックチャネルＴＣＨ（Ｔｒａｆｆｉｃ  Ｃｈａｎｎｅｌ：ユーザのデータチャネル）とに分けられる。また、制御チャネルは、共通制御チャネルとユーザ個別制御チャネルとに分けられる。共通制御チャネルには、リファレンス信号ＲＳ（Ｒｅｆｅｒｅｎｃｅ  Ｓｉｇｎａｌｓ）である共通パイロットチャネルＣＰＩＣＨ（Ｃｏｍｍｏｎ  Ｐｉｌｏｔ  Ｃｈａｎｎｅｌ）、同期チャネルＳＣＨ（Ｓｙｎｃｈｒｏｎｉｓａｔｉｏｎ  Ｃｈａｎｎｅｌ）、および報知チャネルＢＣＨ（Ｂｒｏａｄｃａｓｔ  Ｃｈａｎｎｅｌ）などがある（例えば、非特許文献１、２参照）。
【０００４】
また、第三世代無線アクセスの進化（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ：以下、「ＥＵＴＲＡ」と呼称する。）および第三世代無線アクセスネットワークの進化（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：以下、「ＥＵＴＲＡＮ」と呼称する。）が検討されている。ＥＵＴＲＡの下りリンクとして、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式が提案されている。ＥＵＴＲＡ技術として、ＯＦＤＭＡ方式にチャネル符号化等の適応無線リンク制御（リンクアダプテーション：Ｌｉｎｋ  Ａｄａｐｔｉｖｅｉｏｎ）に基づく適応変復調・誤り訂正方式ＡＭＣＳ（Ａｄａｐｔｉｖｅ  Ｍｏｄｕｌａｔｉｏｎ  ａｎｄ  Ｃｏｄｉｎｇ  Ｓｃｈｅｍｅ：以下、「ＡＭＣＳ」と呼称する。）といった技術が適用されている。
【０００５】
（１）ＥＵＴＲＡの下りリンク無線フレーム構成に関する説明
ＯＦＤＭＡ方式における下りリンク無線チャネルの配置について、ＯＦＤＭ信号の周波数軸（サブキャリア）と時間軸（ＯＦＤＭシンボル）のリソースを用いて、時間分割多重ＴＤＭ（Ｔｉｍｅ  Ｄｉｖｉｏｎ  Ｍｕｌｔｉｐｌｅｘｉｎｇ）、周波数分割多重ＦＤＭ（Ｆｒｅｑｕｅｎｃｙ  Ｄｉｖｉｏｎ  Ｍｕｌｔｉｐｌｅｘｉｎｇ）、またはＴＤＭ・ＦＤＭのみ合わせで時間・周波数に多重する方法が提案されている。また、３ＧＰＰのＥＵＴＲＡ技術検討の国際会合による作成した技術仕様文書により、下りリンク無線フレームの構成、および無線フレームに各無線チャネルを配置する方法である無線チャネルマッピング方法が提案されている（例えば、非特許文献３参照）。
【０００６】
図１０は、３ＧＰＰの提案をベースに想定されているＥＵＴＲＡの下りリンク無線フレーム構成、無線チャネルマッピングの例を説明するための図である。下りリンク無線フレームは、周波数軸方向での複数のサブキャリアのかたまりである周波数帯域幅Ｂｃｈと時間軸のサブフレームＳＦ（Ｓｕｂ−ｆｒａｍｅ）による２次元の複数の無線リソースブロックＲＢ（Ｒｅｓｏｕｒｃｅ  Ｂｌｏｃｋ）により構成されている。
【０００７】
例えば、周波数軸では、下りリンクの全体のスペクトル（基地局固有のシステム周波数帯域幅ＢＷ）を２０ＭＨｚ、ＲＢの周波数帯域幅Ｂｃｈを１８０ｋＨｚ、サブフレームＳＦを０．５ｍｓ、サブキャリア周波数帯域幅Ｂｓｃを１５ｋＨｚ、１つの無線フレームを１０ｍｓとする場合、下りリンクでは、無線フレームには１０００個のＲＢが含まれ、１つのＲＢには１２本のサブキャリアが含まれ、２０ＭＨｚ帯域全体で６００本のサブキャリアが含まれる。ＴｓはＯＦＤＭシンボル長を表す。
【０００８】
図１０に示したように、リファレンス信号ＲＳ、すなわち共通パイロットチャネルＣＰＩＣＨは、各サブフレームＳＦの先頭にマッピングされ、報知チャネルＢＣＨと同期チャネルＳＣＨは、各無線フレームの先頭に１つおよび／または無線フレーム中に複数にマッピングされている。各ＲＢの残りの一部はトラフィックチャネルＴＣＨとして使用し、ＡＭＣＳを用いて各移動局に配分する。
【０００９】
また、ＥＵＴＲＡ／ＥＵＴＲＡＮの技術要求条件（例えば、非特許文献４参照）が提案され、既存の２Ｇ（２ｎｄ  Ｇｅｎｅｒａｔｉｏｎ）、３Ｇ（３ｒｄ  Ｇｅｎｅｒａｔｉｏｎ）サービスとの融合、共存のため、スペクトル柔軟性（Ｓｐｅｃｔｒｕｍ  Ｆｌｅｘｉｂｉｌｉｔｙ）が要求され、異なるサイズのスペクトル（周波数帯域幅、例えば、１．２５ＭＨｚ、２．５ＭＨｚ、５ＭＨｚ、１０ＭＨｚ、２０ＭＨｚ）に対する周波数割り当てのサポート（Ｓｕｐｐｏｒｔ  ｆｏｒ  ｓｐｅｃｔｒｕｍ  ａｌｌｏｃａｔｉｏｎｓ  ｏｆ  ｄｉｆｆｅｒｅｎｔ  ｓｉｚｅ）が要求されている。
【００１０】
また、ＥＵＴＲＡ／ＥＵＴＲＡＮシステムの基地局ＲＦ（Ｒａｄｉｏ  Ｆｒｅｑｕｅｎｃｙ）中心周波数は、既存のＷ−ＣＤＭＡシステムの周波数スペクトラムと共用するため、Ｗ−ＣＤＭＡに使用されているＲＦ中心周波数およびチャネル番号ＵＡＲＦＣＮ（ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）（非特許文献５参照）に合わせる必要がある。ＥＵＴＲＡの寄与文書（非特許文献６参照）に示したように、周波数ラスター（Ｆｒｅｑｕｅｎｃｙ  Ｒａｓｔｅｒ：２００ｋＨｚ）の関係で、共通制御チャネル（同期チャネルＳＣＨおよび報知チャネルＢＣＨ）は基地局ＲＦ中心周波数ｆｃを中心に、周波数軸に対称で、基地局固有の最大システム周波数帯域幅ＢＷの全帯域または一部帯域にマッピングする方法が提示されている。
【００１１】
図１１は同期チャネルＳＣＨのマッピング例を示す図である。基地局固有の最大システム周波数帯域幅ＢＷがそれぞれ１．２５ＭＨｚ、２．５ＭＨｚ、５ＭＨｚ、１０ＭＨｚ、２０ＭＨｚの周波数帯域幅を持つ場合、同期チャネルＳＣＨは、基地局のＲＦ中心周波数ｆｃを中心に、周波数軸に対称で、１．２５ＭＨｚの帯域にマッピングしている（非特許文献３、節７．１．２．４  Ｃｅｌｌ  ｓｅａｒｃｈを参照）。
【００１２】
図１４は、図１０に示したＥＵＴＲＡの下りリンク無線フレーム構成の１つＲＢにおけるリファレンス信号ＲＳのマッピング例を示す図である。第１のリファレンスシンボルＲＳ１と第２のリファレンスシンボルＲＳ２が含まれ、それぞれ６本のサブキャリア間隔で第１番目のＯＦＤＭシンボルと第５番目のＯＦＤＭシンボルにマッピングされている（非特許文献３、節７．１．１．２．２  Ｄｏｗｎｌｉｎｋ  ｒｅｆｅｒｅｎｃｅ−ｓｉｇｎａｌ  ｓｔｒｕｃｔｕｒｅを参照）。
【００１３】
Ｗ−ＣＤＭＡ方式と同様に、隣接セルの干渉低減およびセル物理レイヤインデックス（Ｃｅｌｌ  ＩＤ：以下、「セルＩＤ」と呼称する。）を表すために、ＥＵＴＲＡの下りリンク無線フレームでは、基地局に異なるスクランブリングコードＳＣ（Ｓｃｒａｍｂｌｉｎｇ  Ｃｏｄｅ）が適用されている。図１３は、スクランブリングコードＳＣを各サブキャリアに配置する例であるスクランブリングコードＳＣマッピング例を示している。基地局固有の最大システム周波数帯域幅ＢＷに合わせて、１つのＯＦＤＭシンボル長に１周期のスクランブリングコードＳＣが被って（スクランブリングコードＳＣとの乗算）、ＯＦＤＭシンボルタイミングＴｓ毎に１つのサブキャリアである１つコード位相をシフトしている。
【００１４】
ここで、スクランブリングコードＳＣのインデックス（以下、「ＳＣＩＤ」と称する）で基地局固有の物理レイヤインデックス（ｅＮｏｄｅ＿Ｂ  ＩＤ：以下、「基地局ＩＤ」と呼称する。）を示す。またＳＣＩＤとリファレンス信号ＲＳシーケンスインデックス（以下、「ＲＳＩＤ」と称する）の組み合わせで、セルＩＤを示す（非特許文献７を参照）。
【００１５】
（２）リファレンス信号ＲＳに関する説明
ＥＵＴＲＡの下りリンク無線フレームに挿入されているリファレンス信号ＲＳは、ＡＭＣＳ技術を適用するための下りリンク無線伝搬路の品質測定（Ｄｏｗｎｌｉｎｋ−ｃｈａｎｎｅｌ−ｑｕａｌｉｔｙ  ｍｅａｓｕｒｅｍｅｎｔｓ）、移動局装置における相関復調または相関検出のための下りリンク伝搬路推定（Ｄｏｗｎｌｉｎｋ  ｃｈａｎｎｅｌ  ｅｓｔｉｍａｔｉｏｎ  ｆｏｒ  ｃｏｈｅｒｅｎｔ  ｄｅｍｏｄｕｌａｔｉｏｎ／ｄｅｔｅｃｔｉｏｎ  ａｔ  ｔｈｅ  ＵＥ）、および初期同期とセルサーチ（Ｉｎｉｔｉａｌ  ａｃｑｕｉｓｉｔｉｏｎ  ａｎｄ  ｃｅｌｌ  ｓｅａｒｃｈ）に使われる（非特許文献３、節７．１．１．２．２  Ｄｏｗｎｌｉｎｋ  ｒｅｆｅｒｅｎｃｅ−ｓｉｇｎａｌ  ｓｔｒｕｃｔｕｒｅを参照）。
【００１６】
リファレンス信号ＲＳを用いて、下りリンク無線伝搬路の品質測定と、下りリンク伝搬路推定および初期同期／セルサーチを実現するために、セルに異なるリファレンス信号ＲＳが割り当てられ、幾つかのセル固有の直交符号（ｓｅｃｔｏｒ−ｓｐｅｃｉｆｉｃ  ｏｒｔｈｏｇｏｎａｌ  ｓｅｑｕｅｎｃｅ）のリファレンス信号ＲＳシーケンス（以下、「リファレンスシーケンス、またはＲＳシーケンス」と呼称する。）が提案されている（非特許文献７を参照）。また、異なるセルのリファレンス信号ＲＳに異なるＧＣＬ（Ｇｅｎｅｒａｌｉｚｅｄ  Ｃｈｉｒｐ  Ｌｉｋｅ）シーケンスインデックス（以下、「ＧＣＬＩＤ」と称する）を持つＧＣＬシーケンス（またはＧＣＬコード）をマッピングし、異なるセルに異なるリファレンスシーケンスを生成することも提案されている（非特許文献８を参照）。ＧＣＬシーケンスは、数式（１）で表わすことができる。
【００１７】
【数１】
2008103959.tif 000003
ここで、ＮＧはＧＣＬシーケンスの長さで、素数であり、ｕはＧＣＬＩＤを示す。すなわち、長さＮＧのＧＣＬシーケンスは、ＮＧ−１個のＧＣＬＩＤ（ＧＣＬシーケンスの種類）がある。図１４の長さＮｄ（Ｎｄ≦ＮＧ）の第１のリファレンスシンボルにマッピングする場合、ｋ番目のＧＣＬシーケンス要素はＲ１、ｋ番目のリファレンス信号ＲＳ要素に対応する。ここでは、１つの基地局装置が複数のセクタに分けられる場合、１つのセクタは「セル」と呼ぶ。
【００１８】
表１は、異なる基地局装置のシステム周波数帯域幅ＢＷ（例えば、１．２５ＭＨｚ、２．５ＭＨｚ、５ＭＨｚ、１０ＭＨｚ、２０ＭＨｚ）に対して、リファレンス信号ＲＳ間隔が６サブキャリアとする場合、リファレンスシーケンスの長さＮｄとＧＣＬシーケンスの長さＮＧの関係を示す。
【表１】
2008103959.tif 000004
【００１９】
周波数領域におけるリファレンスシーケンスの良好な自己相関（Ａｕｔｏ−ｃｏｒｒｅｌａｔｉｏｎ）と相互相関（Ｃｒｏｓｓ−ｃｏｒｒｅｌａｔｉｏｎ）特性を利用して、良好な下りリンク無線伝搬路の品質測定と下りリンク伝搬路推定特性が得られる。
【００２０】
図１４は、基地局装置が複数送信アンテナ（１〜４）を持つ場合のリファレンスシーケンスマッピングの例を示す。表２は、第１、２リファレンスシンボルの各リファレンス信号ＲＳに、基地局装置の送信アンテナ数に応じたＧＣＬシーケンスのマッピング方法を表す。
【表２】
2008103959.tif 000005
【００２１】
（３）グループスクランブリングＧＳに関する説明
リファレンス信号ＲＳを用いてセルサーチを行なうために、リファレンス信号ＲＳにマッピングされているＧＣＬＩＤをセルＩＤ（ｃ＝１、２、…、Ｃ）に対応させる必要がある。表１に示したように基地局装置のシステム周波数帯域幅ＢＷに依存して、ＧＣＬＩＤ総数が異なり、ＧＣＬＩＤに対応したＲＳＩＤ（ｕ＝１、２、…、Ｕ）の総数（Ｕ）も異なり、基地局装置のシステム周波数帯域幅ＢＷの減少に伴って、リファレンスシーケンスの長さが減少するため、ＲＳＩＤの総数（Ｕ）も減少する。
【００２２】
従って、周波数領域におけるリファレンスシーケンスの良好な自己相関と相互相関特性を利用して、良好な下りリンク無線伝搬路の品質測定と下りリンク伝搬路推定特性を得ると同時に、セルＩＤの総数（Ｃ）を増加するために、Ｗ−ＣＤＭＡ方式のように、基地局装置に異なるスクランブリングコードＳＣを割り当てることではなく、局部のサービスエリアにスクランブリングコードＳＣが再利用（繰り返し）できるように、複数の基地局装置を１つグループにして、１つのＳＣＩＤ（ｇ＝１、２、…、Ｇ）を有するスクランブリングコードＳＣを割り当て、グループスクランブリングＧＳ（Ｇｒｏｕｐ  Ｓｃｒａｍｂｌｉｎｇ）概念を導入する。基地局装置グループインデックス、すなわちＳＣＩＤ（ｇ）に対応したグループスクランブリングＧＳインデックス（ｖ＝１、２、…、Ｖ、以下、「ＧＳＩＤ」と称する。）と、１つ基地局装置グループ内のセルＩＤ、すなわちＲＳＩＤ（ｕ）の組み合わせで、システム全体のセルＩＤ（ｃ）を表す方法が提案されている（非特許文献８を参照）。
【００２３】
図１５は、ＧＳＩＤ（ｖ）とＲＳＩＤ（ｕ）の組み合わせで、セルＩＤ（ｃ）を表す方法の例を示す。図１５では、１つ基地局装置に３つセルを含め、１つのＧＳＩＤ（ｖ）に１２個のＲＳＩＤ（ｕ）が割当てる。総数４個のＧＳＩＤ（ｖ＝１、２、３、４）と１２個のＲＳＩＤ（ｕ＝１、２、…、１２）で４８個のセルＩＤ（ｃ）を表す。
【００２４】
すなわち、システム全体のセルＩＤ総数Ｃは、数式（２）で表わされる。
Ｃ＝Ｖ・Ｕ    ・・・（２）
このグループスクランブリングＧＳの導入により、例えば基地局装置のシステム周波数帯域幅ＢＷが１．２５ＭＨｚの場合でも、総数４個のＧＳＩＤと総数１２個のＲＳＩＤで総数４８個のセルＩＤ（ｃ）を表すことができる。
【００２５】
（４）同期チャネルＳＣＨ構造に関する説明
ＥＵＴＲＡの下りリンク無線フレームに挿入されている同期チャネルＳＣＨは、ＯＦＤＭ受信信号の初期同期、セルサーチ（初期セルサーチ、待ち受けセルサーチ及び通信中セルサーチ）などに使われている。同期チャネルＳＣＨには、キャリア周波数オフセット同期、ＯＦＤＭシンボルタイミング同期、無線フレームタイミング同期、セルＩＤ（ｃ）の直接または間接情報、基地局装置の送信アンテナ本数、基地局装置固有のシステム周波数帯域幅ＢＷに依存する報知チャネル周波数帯域幅、ＯＦＤＭシンボルのＣＰ（Ｃｙｃｌｉｃ  Ｐｒｅｆｉｘ）長さ、無線フレームタイミングなどセルの物理に構成関連するセル固有情報インデックス（ｗ＝１、２、…、Ｗ、以下、「セル構成ＩＤ」と称する。）が含まれていている。セルＩＤ（ｃ）の直接／間接情報とセル構成ＩＤ（ｗ）を合わせて、セル情報ＩＤ（ｙ＝１、２、３、…、Ｙ、Ｙ＝Ｃ・Ｗ、ここでは、セルＩＤの直接と間接情報合わせてセルＩＤ（ｃ）としている。）と呼ぶ。
【００２６】
同期チャネルＳＣＨの構成は、
（１）キャリア周波数オフセットおよびＯＦＤＭシンボルタイミング検出精度、検出時間など初期同期特性、
（２）セル情報ＩＤ（ｙ）の検出確率、検出時間などセルサーチ特性と、
（３）システムオーバーヘッド（同期チャネルＳＣＨが占用するリソースと無線フレーム全体リソースの割合）、
（４）ＥＵＴＲＡのＴＤＤ（Ｔｉｍｅ  Ｄｉｖｉｓｉｏｎ  Ｄｕｐｌｅｘ）システムへの適用、
（５）移動局装置における信号処理の計算量などの要因、に依存する。
【００２７】
初期同期特性の向上、セルサーチ特性の改善、移動局装置の処理量を考慮しながら、少ない同期チャネルＳＣＨリソースで多くのセル情報ＩＤ（ｙ）を表現できる様々な同期チャネルＳＣＨ構成が提案されている（非特許文献３、節７．１．２．４  Ｃｅｌｌ  ｓｅａｒｃｈ、非特許文献９を参照）。
【００２８】
（５）セルサーチ手順に関する説明
移動局装置は、電源立ち上げ時、ハンドオーバ時、あるいは通信待ち受け時において、無線リンクを接続すべきセルを探すセルサーチが必要である。ＥＵＴＲＡシステムでは、Ｗ−ＣＤＭＡ方式と類似の三段セルサーチ手順が提案されている（非特許文献３、節７．１．２．４  Ｃｅｌｌ  ｓｅａｒｃｈ、非特許文献９を参照）。
【００２９】
図１６は、ＥＵＴＲＡシステムにおけるセルサーチ手順の例を示す。ステップ１（Ｒ１、第１段）では、受信した複数の同期チャネルＳＣＨの受信信号に対して、時間領域における自己相関または相互相関処理により最大電力の同期チャネルＳＣＨに対応したキャリア周波数オフセット、ＯＦＤＭシンボルタイミングの検出を行なう。ステップ２（Ｒ２、第２段）において、検出結果によりキャリア周波数オフセットおよびＯＦＤＭシンボルタイミング補正を行ない、ＯＦＤＭ信号を復調し（ＣＰ除去、ＤＦＴ変換）、周波数領域における同期チャネルＳＣＨにマッピングされた同期シーケンスインデックス（ｓ＝１、２、３、…、Ｓ、以下、「ＳＣＨＩＤ」と称する。）を検出し、ＳＣＨＩＤ（ｓ）と関連付けているセル情報ＩＤ（ｙ）を同定する。
【００３０】
セルＩＤ（ｃ）の間接情報、例えば、図１７に示したＷ−ＣＤＭＡ方式に使われているスクランブリンググループＳＧ（Ｓｃｒａｍｂｌｉｎｇ  Ｇｒｏｕｐ）インデックス（ｈ＝１、２、３、・・・、Ｈ、以下、「ＳＧＩＤ」と称する。）が同定された場合、さらにステップ３（Ｒ３、第３段）で、ＳＧＩＤ（ｈ）を指す複数のＳＣＩＤ（ｇ＝１、２、３、・・・、Ｇ）を用いて、例えば総数６４（Ｈ＝６４）の中の１つのＳＧＩＤが８個ＳＣＩＤを指す場合、受信した複数のリファレンス信号ＲＳに対して８回ディスクランブリングラブリング処理を行ない、最大電力のリファレンス信号ＲＳを用いて、５１２個の基地局ＩＤ（ここでは、ＳＣＩＤ（ｇ）は基地局ＩＤと等しい）を同定し、さらに最大電力のリファレンス信号ＲＳの検出によりセルＩＤ（ｃ）を同定する。
【非特許文献１】３ＧＰＰ  ＴＳ  ２５．２１１、Ｖ７．０．０（２００６−０３）、Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ．ｈｔｔｐ：／／ｗｗｗ．３ｇｐｐ．ｏｒｇ／ｆｔｐ／Ｓｐｅｃｓ／ｈｔｍｌ−ｉｎｆｏ／２５−ｓｅｒｉｅｓ．ｈｔｍ
【非特許文献２】立川  敬二、“Ｗ−ＣＤＭＡ移動通信方式”、ＩＳＢＮ４−６２１−０４８９４−５、Ｐ１０３、Ｐ１１５など
【非特許文献３】３ＧＰＰ  ＴＲ（Ｔｅｃｈｎｉｃａｌ  Ｒｅｐｏｒｔ）２５．８１４、Ｖ７．０．０（２００６−０６）、Ｐｈｙｓｉｃａｌ  Ｌａｙｅｒ  Ａｓｐｅｃｔｓ  ｆｏｒ  Ｅｖｏｌｏｖｅｄ  ＵＴＲＡ．ｈｔｔｐ：／／ｗｗｗ．３ｇｐｐ．ｏｒｇ／ｆｔｐ／Ｓｐｅｃｓ／ｈｔｍｌ−ｉｎｆｏ／２５８１４．ｈｔｍ
【非特許文献４】３ＧＰＰ  ＴＲ（Ｔｅｃｈｎｉｃａｌ  Ｒｅｐｏｒｔ）２５．９１３、Ｖ７．３．０（２００６−０３）、Ｒｅｑｕｉｒｅｍｅｎｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （ＵＴＲＡ）  ａｎｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）．ｈｔｔｐ：／／ｗｗｗ．３ｇｐｐ．ｏｒｇ／ｆｔｐ／Ｓｐｅｃｓ／ｈｔｍｌ−ｉｎｆｏ／２５９１３．ｈｔｍ
【非特許文献５】３ＧＰＰ  ＴＳ  ２５．１０１、Ｖ７．４．０（２００６−０６）、Ｕｓｅｒ  Ｅｑｕｉｐｍｅｎｔ  （ＵＥ）  ｒａｄｉｏ  ｔｒａｎｓｍｉｓｓｉｏｎ  ａｎｄ  ｒｅｃｅｐｔｉｏｎ  （ＦＤＤ）、ｈｔｔｐ：／／ｗｗｗ．３ｇｐｐ．ｏｒｇ／ｆｔｐ／Ｓｐｅｃｓ／ｈｔｍｌ−ｉｎｆｏ／２５−ｓｅｒｉｅｓ．ｈｔｍ
【非特許文献６】Ｒ１−０５０５９２、“Ｐｈｙｓｉｃａｌ  Ｃｈａｎｎｅｌ  Ｃｏｎｃｅｐｔ  ｆｏｒ  Ｓｃａｌａｂｌｅ  Ｂａｎｄｗｉｄｔｈ  ｉｎ  Ｅｖｏｌｖｅｄ  ＵＴＲＡ  Ｄｏｗｎｌｉｎｋ”、３ＧＰＰ  ＴＳＧ  ＲＡＮ  ＷＧ１  Ａｄ  Ｈｏｃ  ｏｎ  ＬＴＥ、Ｓｏｐｈｉａ  Ａｎｔｉｐｏｌｉｓ、  Ｆｒａｎｃｅ、  ２０−２１  Ｊｕｎｅ、  ２００５、ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿ＡＨ／ＬＴＥ＿ＡＨ＿Ｊｕｎｅ−０５／Ｄｏｃｓ／
【非特許文献７】Ｒ１−０５０７０４、“Ｏｒｔｈｏｇｏｎａｌ  Ｃｏｍｍｏｎ  Ｐｉｌｏｔ  Ｃｈａｎｎｅｌ  ａｎｄ  Ｓｃｒａｍｂｌｉｎｇ  Ｃｏｄｅ  ｉｎ  Ｅｖｏｌｖｅｄ  ＵＴＲＡ  Ｄｏｗｎｌｉｎｋ”、３ＧＰＰ  ＴＳＧ  ＲＡＮ  ＷＧ１  ＃４２  ｏｎ  ＬＴＥ、Ｌｏｎｄｏｎ、  ＵＫ、  Ａｕｇｕｓｔ  ２９  -  Ｓｅｐｔｅｍｂｅｒ  ２、  ２００５、ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿４２／Ｄｏｃｓ／
【非特許文献８】Ｒ１−０６１７２３、“Ｄｏｗｎｌｉｎｋ  Ｒｅｆｅｒｅｎｃｅ  ｓｉｇｎａｌ  ｓｅｑｕｅｎｃｅ  ｄｅｓｉｇｎ”、３ＧＰＰ  ＴＳＧ  ＲＡＮ１  ｏｎ  ＬＴＥ、Ｃａｎｎｅｓ、  Ｆｒａｎｃｅ、Ｊｕｎｅ  ２７  −  ３０、  ２００６、ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿ＡＨ／ＬＴＥ＿ＡＨ＿Ｊｕｎｅ−０６／Ｄｏｃｓ／
【非特許文献９】Ｒ１−０６１６６２、“ＳＣＨ  Ｓｔｒｕｃｔｕｒｅ  ａｎｄ  Ｃｅｌｌ  Ｓｅａｒｃｈ  Ｍｅｔｈｏｄ  ｆｏｒ  Ｅ−ＵＴＲＡ  Ｄｏｗｎｌｉｎｋ”、３ＧＰＰ  ＴＳＧ  ＲＡＮ  ＷＧ１  ＬＴＥ  Ａｄ  Ｈｏｃ、Ｃａｎｎｅｓ、  Ｆｒａｎｃｅ、  ２７  -  ３０  Ｊｕｎｅ、  ２００６、ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿ＡＨ／ＬＴＥ＿ＡＨ＿Ｊｕｎｅ−０６／Ｄｏｃｓ／
【非特許文献１０】Ｔ．Ｋｅｌｌｅｒ、Ｌ．Ｐｉａｚｚｏ、Ｐ．Ｍａｎｄａｒｉｎｉ、Ｌ．Ｈａｎｚｏ、“Ｏｒｔｈｏｇｏｎａｌ  Ｆｒｅｑｕｅｎｃｙ  Ｄｉｖｉｓｉｏｎ  Ｍｕｌｔｉｐｌｅｘ  Ｓｙｎｃｈｒｏｎｉｚａｔｉｏｎ  Ｔｅｃｈｎｉｑｕｅｓ  ｆｏｒ  Ｆｒｅｑｕｅｎｃｙ−Ｓｅｌｅｃｔｉｖｅ  Ｆａｄｉｎｇ  Ｃｈａｎｎｅｌｓ”、ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ、ＶＯＬ．１９、ＮＯ．６、Ｊｕｎｅ  ２００１  ｐａｇｅ（ｓ）：９９９−１００７
【非特許文献１１】Ｒ１−０６１６６３、“Ｃｅｌｌ  Ｓｅａｒｃｈ  Ｔｉｍｅ  Ｐｅｒｆｏｒｍａｎｃｅ  ｏｆ  ３−Ｓｔｅｐ  Ｃｅｌｌ  Ｓｅａｒｃｈ  Ｍｅｔｈｏｄ  ｉｎ  Ｍｕｌｔｉ−Ｃｅｌｌ  Ｅｎｖｉｒｏｎｍｅｎｔ”、３ＧＰＰ  ＴＳＧ  ＲＡＮ  ＷＧ１  ＬＴＥ  Ａｄ  Ｈｏｃ、Ｃａｎｎｅｓ、  Ｆｒａｎｃｅ、  ２７  -  ３０  Ｊｕｎｅ、  ２００６、ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿ＡＨ／ＬＴＥ＿ＡＨ＿Ｊｕｎｅ−０６／Ｄｏｃｓ／
【非特許文献１２】Ｒ１−０５１３２９、“Ｃｅｌｌ  Ｓｅａｒｃｈ  ａｎｄ  Ｉｎｉｔｉａｌ  Ａｃｑｕｉｓｉｔｉｏｎ  ｆｏｒ  ＯＦＤＭ  Ｄｏｗｎｌｉｎｋ”、３ＧＰＰ  ＴＳＧ  ＲＡＮ  ＷＧ１  ＃４３、Ｃａｎｎｅｓ、Ｓｅｏｕｌ、  Ｋｏｒｅａ、  Ｎｏｖ  ７  −  １１、  ２００５、ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿４３／Ｄｏｃｓ／
【非特許文献１３】Ｒ１−０６１６６５、“Ｂｒｏａｄｃａｓｔ  Ｃｈａｎｎｅｌ  Ｓｔｒｕｃｔｕｒｅ  ｆｏｒ  Ｅ−ＵＴＲＡ  Ｄｏｗｎｌｉｎｋ”、  ３ＧＰＰ  ＴＳＧ  ＲＡＮ  ＷＧ１  ＬＴＥ  Ａｄ  Ｈｏｃ、Ｃａｎｎｅｓ、  Ｆｒａｎｃｅ、  ２７  -  ３０  Ｊｕｎｅ、  ２００６、ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿ＡＨ／ＬＴＥ＿ＡＨ＿Ｊｕｎｅ−０６／Ｄｏｃｓ／
【発明の開示】
【発明が解決しようとする課題】
【００３１】
しかしながら、上記の非特許文献８では、ＥＵＴＲＡ／ＥＵＴＲＡＮシステムにおいて、周波数領域におけるリファレンスシーケンスの良好な自己相関と相互相関特性を利用して、良好な下りリンク無線伝搬路の品質測定と下りリンク伝搬路推定特性が得られるＧＣＬシーケンスをリファレンスシーケンスにマッピングし、セルＩＤの総数（Ｃ）を増加するために、スクランブリングコードＳＣを利用したグループスクランブリングＧＳが提案されたが、ＧＣＬシーケンスをリファレンスシーケンスにマッピングした場合の同期チャネルＳＣＨの構成およびセルサーチ手順が提示されていない。
【００３２】
また、異なるシステム周波数帯域幅（例えば、１．２５ＭＨｚ、２．５ＭＨｚ、５ＭＨｚ、１０ＭＨｚ、２０ＭＨｚ）基地局装置に対して、システム周波数帯域幅の減少に伴って、セルＩＤ総数（Ｃ）が減少する問題があり、異なるシステム周波数帯域幅に適した同期チャネルＳＣＨの構成が望ましい。
【００３３】
さらに、２０ＭＨｚシステム周波数帯域幅を持つ基地局装置に対して、１０ＭＨｚ、２０ＭＨｚ周波数帯域幅の送受信能力を持つ移動局装置の場合、最適なリファレンス信号ＲＳと同期チャネルＳＣＨの構成、およびこれに適したセルサーチ方法が提示されていない。
【００３４】
本発明は、このような事情に鑑みてなされたものであり、リファレンスシーケンスを利用して、少ないシステムオーバーヘッド、高い検出率と短い検出時間を持つ同期チャネルＳＣＨおよびこの同期チャネルＳＣＨを用いたセルサーチを行なうことができる基地局装置、移動局装置、ＯＦＤＭ通信システムおよびセルサーチ方法を提供することを目的とする。
【課題を解決するための手段】
【００３５】
（１）上記の目的を達成するために、本発明は、以下のような手段を講じた。すなわち、本発明のＯＦＤＭ送信装置は、ＯＦＤＭ方式で無線信号を送信するＯＦＤＭ送信装置であって、少なくとも伝搬路推定に用いるリファレンス信号、スクランブリングコード信号、並びに、グループスクランブリングインデックスおよび／またはセル固有情報インデックス（セル構成ＩＤ）を含む同期チャネル信号を生成する制御信号生成部と、前記リファレンス信号および同期チャネル信号を所定のサブキャリアにマッピングすると共に、前記スクランブリングコードをＯＦＤＭ信号に乗算するチャネルマッピング部と、を備えることを特徴としている。
【００３６】
この構成により、周波数領域におけるリファレンス信号シーケンスの良好な自己相関と相互相関特性を利用して、良好な下りリンク無線伝搬路の品質測定と下りリンク伝搬路推定特性を得ながら、多数のセルＩＤ（ｃ）を実現すると同時に、従来方式と比べて、少ないシステムオーバーヘッド、高い検出特性を持つ同期チャネルＳＣＨの構成が実現できる。
【００３７】
（２）また、本発明のＯＦＤＭ送信装置において、前記制御信号生成部は、相互に異なるシステム周波数帯域幅を示すセル固有情報インデックス（セル構成ＩＤ）を含む複数種類の異なる同期チャネル信号を生成することを特徴としている。
【００３８】
この構成により、異なるシステム周波数帯域幅に最適な同期チャネル信号を使用することが可能となる。
【００３９】
（３）また、本発明のＯＦＤＭ受信装置は、ＯＦＤＭ方式で送信された無線信号を受信するＯＦＤＭ受信装置であって、受信した信号から、少なくとも伝搬路推定に用いるリファレンス信号、スクランブリングコード信号、並びに、グループスクランブリングインデックスおよび／またはセル固有情報インデックス（セル構成ＩＤ）を含む同期チャネル信号を抽出する制御信号抽出部と、前記抽出されたリファレンス信号のリファレンスシーケンスインデックス（ＲＳＩＤ）と、前記抽出された同期チャネル信号のグループスクランブリングインデックスと、に基づいてセル物理レイヤインデックス（セルＩＤ）を算出するセルサーチ部と、を備えることを特徴としている。
【００４０】
この構成により、周波数領域におけるリファレンス信号シーケンスの良好な自己相関と相互相関特性を利用して、良好な下りリンク無線伝搬路の品質測定と下りリンク伝搬路推定特性を得ながら、多数のセルＩＤ（ｃ）を実現すると同時に、従来方式と比べて、少ないシステムオーバーヘッド、高い検出特性を持つ同期チャネルＳＣＨの構成が実現できる。
【００４１】
（４）また、本発明のＯＦＤＭ受信装置において、前記セルサーチ部は、キャリア周波数オフセットおよびＯＦＤＭシンボルタイミングの検出を行なう時間・周波数同期部と、複数の同期チャネル信号から、最大の受信電力を有する同期チャネルにマッピングされた同期シーケンスインデックス（ＳＣＨＩＤ）を同定し、グループスクランブリングインデックスおよび／またはセル固有情報インデックス（セル構成ＩＤ）を出力する同期シーケンスインデックス（ＳＣＨＩＤ）同定部と、前記リファレンス信号に基づいて、リファレンス信号の受信電力情報およびリファレンスシーケンスインデックス（ＲＳＩＤ）を出力するリファレンス信号処理部と、前記リファレンスシーケンスインデックスと、前記抽出された同期チャネル信号のグループスクランブリングインデックスとを乗算し、セル物理レイヤインデックス（セルＩＤ）を算出する乗算部と、を備えることを特徴としている。
【００４２】
この構成により、従来よりも簡単にセルサーチを行なうことができ、信号処理量と消費電力を低減させることが可能となる。
【００４３】
（５）また、本発明のＯＦＤＭ受信装置において、前記制御信号抽出部は、相互に異なるシステム周波数帯域幅を示すセル固有情報インデックス（セル構成ＩＤ）を含む複数種類の異なる同期チャネル信号を抽出し、前記同期シーケンスインデックス（ＳＣＨＩＤ）同定部は、第１の同期チャネル信号に含まれている第１のグループスクランブリングインデックおよびセル固有情報インデックス（セル構成ＩＤ）を同定し、このセル固有情報インデックス（セル構成ＩＤ）に基づいて、後続の同期チャネル信号の有無を判断し、後続の同期チャネル信号がある場合は、その後続の同期チャネル信号について、さらにグループスクランブリングインデックおよびセル固有情報インデックス（セル構成ＩＤ）を同定することを特徴としている。
【００４４】
この構成により、異なるシステム周波数帯域幅に最適な同期チャネル信号を使用することが可能となる。
【００４５】
（６）また、本発明の基地局装置は、請求項１または請求項２記載のＯＦＤＭ送信装置を備えることを特徴としている。
【００４６】
この構成により、周波数領域におけるリファレンス信号シーケンスの良好な自己相関と相互相関特性を利用して、良好な下りリンク無線伝搬路の品質測定と下りリンク伝搬路推定特性を得ながら、多数のセルＩＤ（ｃ）を実現すると同時に、従来方式と比べて、少ないシステムオーバーヘッド、高い検出特性を持つ同期チャネルＳＣＨの構成が実現できる。
【００４７】
（７）また、本発明の移動局装置は、請求項３から請求項５のいずれかに記載のＯＦＤＭ受信装置を備えることを特徴としている。
【００４８】
この構成により、周波数領域におけるリファレンス信号シーケンスの良好な自己相関と相互相関特性を利用して、良好な下りリンク無線伝搬路の品質測定と下りリンク伝搬路推定特性を得ながら、多数のセルＩＤ（ｃ）を実現すると同時に、従来方式と比べて、少ないシステムオーバーヘッド、高い検出特性を持つ同期チャネルＳＣＨの構成が実現できる。
【００４９】
（８）また、本発明のＯＦＤＭ通信システムは、請求項６記載の基地局装置と、請求項７記載の移動局装置と、から構成されることを特徴と、から構成されることを特徴としている。
【００５０】
この構成により、各セルのリファレンス信号シーケンスに、異なるＧＣＬＩＤを持つＧＣＬシーケンスをマッピングした場合、周波数領域におけるリファレンス信号シーケンスの良好な自己相関と相互相関特性を利用して、良好な下りリンク無線伝搬路の品質測定と下りリンク伝搬路推定特性を得ながら、多数のセルＩＤ（ｃ）を実現すると同時に、従来方式と比べて、少ないシステムオーバーヘッド、高い検出特性を持つ同期チャネルＳＣＨの構成が実現できる。
【００５１】
（９）また、本発明のセルサーチ方法は、ＯＦＤＭ方式で無線信号を送受信する無線通信システムの送信側において、少なくとも伝搬路推定に用いるリファレンス信号、スクランブリングコード信号、並びに、グループスクランブリングインデックスおよび／またはセル固有情報インデックス（セル構成ＩＤ）を含む同期チャネル信号を生成し、前記リファレンス信号および同期チャネル信号を所定のサブキャリアにマッピングすると共に、前記スクランブリングコードをＯＦＤＭ信号に乗算して送信する場合のセルサーチ方法であって、受信側において、受信した信号から、少なくとも伝搬路推定に用いるリファレンス信号、スクランブリングコード信号、並びに、グループスクランブリングインデックスおよび／またはセル固有情報インデックス（セル構成ＩＤ）を含む同期チャネル信号を抽出し、前記抽出されたリファレンス信号のリファレンスシーケンスインデックス（ＲＳＩＤ）と、前記抽出された同期チャネル信号のグループスクランブリングインデックスとに基づいてセル物理レイヤインデックス（セルＩＤ）を算出することを特徴としている。
【００５２】
この構成により、周波数領域におけるリファレンス信号シーケンスの良好な自己相関と相互相関特性を利用して、良好な下りリンク無線伝搬路の品質測定と下りリンク伝搬路推定特性を得ながら、多数のセルＩＤ（ｃ）を実現すると同時に、従来方式と比べて、少ないシステムオーバーヘッド、高い検出特性を持つ同期チャネルＳＣＨの構成が実現できる。
【発明の効果】
【００５３】
本発明によれば、異なる周波数帯域幅（例えば、１０ＭＨｚ、２０ＭＨｚ）を持つ移動局クラスの移動局装置と、異なるシステム周波数帯域幅（例えば、１．２５ＭＨｚ、２．５ＭＨｚ、５ＭＨｚ、１０ＭＨｚ、２０ＭＨｚ）基地局装置による移動通信システムにおいて、各セルのリファレンス信号ＲＳに、異なるＧＣＬＩＤを持つＧＣＬシーケンスをマッピングし、リファレンスシーケンスを生成し、周波数領域におけるリファレンスシーケンスの良好な自己相関と相互相関特性を利用して、良好な下りリンク無線伝搬路の品質測定と下りリンク伝搬路推定特性を得ながら、多数のセルＩＤ（ｃ）を実現すると同時に、従来方式と比べて、少ないシステムオーバーヘッド、高い検出特性を持つ同期チャネルＳＣＨの構成が実現できる。
【００５４】
また、セルＩＤ（ｃ）を増加させるために、スクランブリングコードに対応したグループスクランブリングを用いて、グループスクランブリングインデックス（ｖ）とＧＣＬＩＤであるＲＳＩＤ（ｕ）の組み合わせで、セルＩＤ（ｃ）を表す方法を利用しているため、従来方法と比べて、限定された同期チャネルＳＣＨのリソースで、基地局装置の送信アンテナ本数、報知チャネル周波数帯域幅、ＯＦＤＭシンボルのＣＰ長さ、無線フレームタイミングなどセル固有情報（ｗ）を表すことができるため、同期チャネルＳＣＨリソースの効率的な利用が実現できる。
【００５５】
また、異なるシステム周波数帯域幅（例えば、１．２５ＭＨｚ、２．５ＭＨｚ、５ＭＨｚ、１０ＭＨｚ、２０ＭＨｚ）基地局装置に対して、セルＩＤ総数（Ｃ）、セル構成ＩＤ総数（Ｗ）、ＳＣＨＩＤ総数（Ｓ）、グループスクランブリングインデックス総数（Ｖ）、ＲＳＩＤ総数（Ｕ）など共通なシステムパラメータを実現できる。
【００５６】
また、２０ＭＨｚシステム周波数帯域幅を持つ基地局装置に対して、１０ＭＨｚ、２０ＭＨｚ周波数帯域幅の送受信能力を持つ移動局装置の場合、最適なリファレンス信号ＲＳと同期チャネルＳＣＨの構成、およびこれに適したセルサーチ方法が実現できる。
【００５７】
さらに、提案した同期チャネルＳＣＨに適応したセルサーチ方法により、セル固有情報（ｗ）、およびセルＩＤ（ｃ）の同定は、従来方法より簡単で、移動局装置の信号処理量と消費電力が低減できる。
【発明を実施するための最良の形態】
【００５８】
（実施形態１）
本発明の実施形態１では、グループスクランブリングＧＳインデックスＧＳＩＤ（ｖ）とセル構成ＩＤ（ｗ）を含む同期チャネルＳＣＨの構成、およびセル構成ＩＤ（ｗ）とＧＳＩＤ（ｖ）とリファレンスシーケンスインデックスＲＳＩＤ（ｕ）の同定によるセルＩＤ（ｃ）を同定するセルサーチ手順を提案する。
【００５９】
（Ａ）実施形態１に係る基地局装置の送信部の構成
図１は、本発明に係る基地局装置の送信部の構成を示す。図１は１つのセルの送信部を示す。図１５に示したように、１つの基地局装置が３つのセルにより構成された場合は、図１に示す送信部を３つ備えることとなる。また、表２のように、１つのセルに複数本（１〜４）の送信アンテナにより構成された場合、図１に示した複数本の送信アンテナに対応する複数個（１〜４）送信部により構成することができる。ここでは、例として、１つのセルに１本の送信アンテナが対応する送信部について説明する。
【００６０】
送信部１０には、直並列変換（Ｓ／Ｐ）部１１、制御信号生成部１２、チャネルマッピング部１３、ＩＤＦＴ変換部（逆離散フーリエ変換、Ｉｎｖｅｒｓｅ  Ｄｉｓｃｒｅｔｅ  Ｆｏｕｒｉｅｒ  Ｔｒａｎｓｆｏｒｍ）１４、並直列変換部（Ｐ／Ｓ）１５、ＣＰ（Ｃｙｃｌｉｃ  Ｐｒｅｆｉｘ）挿入部１６、デジタル／アナログ信号変換部（ＤＡＣ）１７、無線部（ＴＸ）１８および送信アンテナ１９が含まれる。なお、この送信部１０は、ＯＦＤＭ送信装置を構成する。
【００６１】
図１０に示した各移動局（例えば図１０の移動局ＭＳ１、２、３）の送信データは、直並列変換部（Ｓ／Ｐ）１１に入力され、並列データ変換後、チャネルマッピング部１３に入力される。チャネルマッピング部１３では、移動局装置からフィードバックされたＣＱＩ測定結果（図３に示す移動局装置の受信部のチャネル推定・ＣＱＩ測定部３０の出力）を用いて、該当移動局装置の無線伝搬路に適した無線リソースブロックＲＢを選択する適応変調（ＡＭＣＳ）を行ない、送信データを所定のＲＢにマッピングする。トラフィックチャネルＴＣＨにマッピングされたユーザデータは、ＩＤＦＴ変換部１４によりＯＦＤＭ信号を生成し、並直列変換部（Ｐ／Ｓ）１５、ＣＰ挿入部１６、デジタル／アナログ信号変換部（ＤＡＣ）１７を通じて、無線部（ＴＸ）１８に入力される。無線部（ＴＸ）１８では、ＯＦＤＭ信号のフィルタリング処理、周波数変換などを経て、送信アンテナ１９により下りリンク信号として移動局装置に送信される。
【００６２】
一方、制御信号生成部１２により、リファレンス信号ＲＳ、スクランブリングコードＳＣ信号、同期チャネルＳＣＨ信号、報知チャネルＢＣＨ信号、共用／個別制御信号など制御信号を生成し、チャネルマッピング部１３に入力する。チャネルマッピング部１３では、図１０に示したように各制御信号を共通制御チャネルにマッピングする。
【００６３】
（１）リファレンス信号ＲＳの生成
リファレンス信号ＲＳは、表１のように、予め定義された基地局装置のシステム周波数帯域幅ＢＷにより、リファレンスシーケンスの長さＮｄが定義され、ＲＳＩＤ総数（Ｕ）が決定されている。例えば、基地局装置のシステム周波数帯域幅ＢＷは２０ＭＨｚの場合、総数１２０１本のサブキャリアがあり、６本サブキャリア間隔でリファレンス信号ＲＳを配置することにより、リファレンスシーケンスの長さＮｄは２００となり、ＧＣＬシーケンス長さ（ＮＧ）を２１１とする場合、総数２１０個のＲＳＩＤ（ｕ）が得られる。
【００６４】
制御信号生成部１２は、制御データから指定されたＧＣＬシーケンス長さ（ＮＧ）、または基地局装置のシステム周波数帯域幅ＢＷなど情報から算出したＮＧ、ＲＳＩＤ（ｕ）、またはセルＩＤ（ｃ）などの情報から算出したｕを式（１）に代入し、所定のＧＣＬシーケンスを生成し、送信アンテナ番号により、リファレンス信号ＲＳを生成し、チャネルマッピング部１３に出力する。チャネルマッピング部１３は、図１１（第２リファレンスシンボルの図示なし）と図１４のような第１、２リファレンスシンボルを生成する。
【００６５】
（２）スクランブリングコードＳＣ信号の生成
制御信号生成部１２は、制御データから指定されたスクランブリングコードＳＣの長さ、または基地局装置のシステム周波数帯域幅ＢＷなど情報から算出したスクランブリングコードＳＣの長さ、ＧＳＩＤ（ｖ）など情報から算出したＳＣＩＤ（ｇ）を、予め定められているスクランブリングコード生成式に代入し、所定のスクランブリングコードを生成し、チャネルマッピング部１３に出力する。チャネルマッピング部１３は、図１３のようなスクランブリングコードＳＣを各サブキャリアにマッピングする（スクランブリング処理）。ただし、同期チャネルＳＣＨ信号に対してはスクランブリング処理を実施しない。
【００６６】
スクランブリングコードＳＣ信号のスクランブリング方法として、図１３のように、ＯＦＤＭ信号の周波数領域にてスクランブリング処理を行なうことができるが、図１に示したＳ／Ｐ変換部１１の入力前における時間領域で行なう（ビットスクランブリング）こともできる。
【００６７】
（３）同期チャネルＳＣＨ信号の生成
制御信号生成部１２は、制御データから指定された同期チャネルＳＣＨ生成情報により同期チャネルＳＣＨ信号を生成する。同期チャネルＳＣＨ生成情報には、基地局装置のシステム周波数帯域幅ＢＷ、無線フレームにおける同期チャネルＳＣＨ信号の挿入位置、繰り返し回数、第１の同期チャネルＰ−ＳＣＨおよび／または第２の同期チャネルＳ−ＳＣＨの物理信号構成などの情報が含まれている。本発明はこれらの情報に関する限定が特になく、同期チャネルＳＣＨ（Ｐ−ＳＣＨとＳ−ＳＣＨ）に含まれる同期関連固有情報の１つである同期シーケンスインデックスＳＣＨＩＤ（ｓ＝１、２、３、…、Ｓ）に着目したものである。
【００６８】
制御信号生成部１２は、制御データから指定されたセルＩＤ（ｃ）の間接情報であるＧＳＩＤ（ｖ）、セル構成ＩＤ（ｗ）を、予め定められた同期シーケンス生成式に代入し、所定の同期シーケンスを生成し、チャネルマッピング部１３に出力する。チャネルマッピング部１３は、図１２のような同期チャネルＳＣＨを生成する。ＧＳＩＤ（ｖ）およびセル構成ＩＤ（ｗ）からＳＣＨＩＤ（ｓ）を算出する方法として、予め定義された変換式、あるいは変換テーブルを用いることができる。セルＩＤ（ｃ）の総数（Ｃ）、ＧＳＩＤ（ｖ）の総数Ｖ、ＲＳＩＤ（ｕ）の総数（Ｕ）、セルＩＤ（ｃ）の総数（Ｃ）の関係は、数式（２）で表わされる。
【００６９】
すなわち、セルＩＤ（ｃ）の総数（Ｃ）は、ＲＳＩＤ（ｕ）の総数（Ｕ）とＧＳＩＤ（ｖ）の総数（Ｖ）の積である。例えば、図１５に示したようにＵ＝１２、Ｖ＝４でＣ＝４８となる。さらに、セル構成ＩＤ（ｗ）の総数（Ｗ）、同期チャネルＳＣＨにマッピングされたＳＣＨＩＤ（ｓ）の総数（Ｓ）とする場合、それぞれの関係を表３に示す。
【表３】
2008103959.tif 000006
【００７０】
例えば、基地局装置の送信アンテナ本数、報知チャネル周波数帯域幅、ＯＦＤＭシンボルのＣＰ長さ、無線フレームタイミングをそれぞれ２状態とし、セル構成ＩＤ総数（Ｗ）は１６（４ｂｉｔ）とする。基地局装置のシステム周波数帯域幅ＢＷが２０ＭＨｚで、サブキャリア総数は１２０１本で、中心サブキャリアを除き、さらにリファレンス信号ＲＳのサブキャリア間隔は６で、図２に示すように、同期チャネルＳＣＨにマッピングされた同期シーケンス長さ（例えばＧＣＬシーケンスの長さ）を７９サブキャリア（同期チャネル帯域幅１．２５ＭＨｚ）とする場合、式（３）によりセルＩＤ総数（Ｃ）は８４０であり、すなわち、システム全体で８４０個セルを同定することができる。
【００７１】
表４のように、セル構成ＩＤ総数（Ｗ）とＳＣＨＩＤ総数（Ｓ）が固定した場合、セルＩＤ総数（Ｃ）は、基地局装置のシステム周波数帯域幅ＢＷの減少に伴って減少する。
【表４】
2008103959.tif 000007
【００７２】
また、表５のように、セル構成ＩＤ総数（Ｗ）とセルＩＤ総数（Ｃ）をそれぞれ１６、５１２と固定した場合、所要のＳＣＨＩＤ総数（Ｓ）は、基地局装置のシステム周波数帯域幅ＢＷの減少に伴って増大する。
【表５】
2008103959.tif 000008
【００７３】
表６のように、ＳＣＨＩＤ総数（Ｓ）とセルＩＤ総数（Ｃ）をそれぞれ７８、５１２と固定した場合、セル構成ＩＤ総数（Ｗ）は、基地局装置のシステム周波数帯域幅ＢＷの減少に伴って減少する。
【表６】
2008103959.tif 000009
【００７４】
上記では、各パラメータについて、具体的な数値を使って説明を行ったが、本発明では、上記各パラメータ取り得る数値範囲を限定したものではない。例えば、基地局装置の送信アンテナ本数、報知チャネルＢＣＨの周波数帯域幅、ＯＦＤＭシンボルのＣＰ長さ、無線フレームタイミングをそれぞれ２状態とし、セル構成ＩＤ総数（Ｗ）は１６（４ｂｉｔ）、セルＩＤ総数（Ｃ）は５１２としたが、これらは限定した数値ではない。基地局装置の送信アンテナ本数、ＯＦＤＭシンボルのＣＰ長さ、無線フレームタイミングなど情報は報知チャネルＢＣＨにより送信することもできる。また、報知チャネルＢＣＨの周波数帯域幅を固定し、セル構成ＩＤ総数（Ｗ）から外すこともできる。トータルシステム設計によりセル構成ＩＤ総数（Ｗ）を調整することができる。この場合、同期チャネルＳＣＨに載せるセル構成ＩＤ総数（Ｗ）の低減、または不要（Ｗ＝０）のため、ＳＣＨＩＤ総数（Ｓ）を低減し、同期チャネルＳＣＨの受信品質向上に貢献することができる。
【００７５】
（４）報知チャネルＢＣＨ信号および共用／個別制御信号の生成
制御信号生成部１２は、制御データからシステム固有のパラメータおよび基地局装置／セル固有のパラメータなど報知情報を取り出し、報知チャネルＢＣＨ信号を生成し、また、制御データから移動局装置所要の共用制御信号、レイヤ１／レイヤ２の制御信号、自局宛てパケットデータに割当てられたＲＢの位置、ＡＭＣＳパラメータなど個別制御情報を取り出し、共用／個別制御信号を生成し、チャネルマッピング部１３に入力する。チャネルマッピング部１３では、図１０に示したように報知チャネルＢＣＨ信号および共用／個別制御信号の生成を報知チャネルＢＣＨおよび共通制御チャネルにマッピングする。
【００７６】
（Ｂ）実施形態１に係る移動局装置の受信部の構成
図３は、本発明に係る移動局装置の受信部の構成を示す。表２のように、１つのセルが複数本（１〜４）の送信アンテナにより構成された場合、移動局装置を図３に示した複数本の受信アンテナに対応する複数個（１〜４）受信部（ブランチ）により構成することができる。ここでは、例として、１本の受信アンテナ対応の受信部（１つの受信アンテナブランチ）について説明する。移動局装置の受信部２０には、受信アンテナ２１、無線部（ＲＸ）２２、デジタル／アナログ信号変換部２３、ＣＰ削除部２４、並直列変換部（Ｐ／Ｓ）２５、ＤＦＴ変換部（離散フーリエ変換、Ｄｉｓｃｒｅｔｅ  Ｆｏｕｒｉｅｒ  Ｔｒａｎｓｆｏｒｍ）２６、チャネルディマッピング部２７、並直列変換部（Ｐ／Ｓ）２８、制御信号抽出部２９、チャネル推定・ＣＱＩ測定部３０およびセルサーチ部３１が含まれる。なお、この受信部は、ＯＦＤＭ受信装置を構成する。
【００７７】
図１に示した複数のセルおよび複数の送信アンテナから送られて来た下りリンク無線信号は、図３の受信アンテナ２１端で合成され、無線部（ＲＸ）２２のフィルタリング、周波数変換など、アナログ／デジタル信号変換（ＡＤＣ）の処理によりデジタルベースバンド信号に変換される。ＣＰ削除部２４は、後述のセルサーチ部３１の出力であるセルサーチ結果のＯＦＤＭシンボルタイミングをベースにＣＰ部分を削除する。直並列変換部（Ｓ／Ｐ）が直並列変換を行ない、ＤＦＴ変換部２６がＯＦＤＭ信号復調を行なう。チャネルディマッピング部２７によりトラフィックチャネルＴＣＨと共通制御チャネルの復調を行ない、トラフィックチャネルＴＣＨのデータを並直列変換部（Ｐ／Ｓ）２８により変換し、自局宛てのパケットデータを復調する。共通制御チャネルデータは制御信号抽出部２９に送られる。
【００７８】
一方、制御信号抽出部２９は、チャネルディマッピング部２７からの入力信号に基づいて、同期チャネルＳＣＨ信号、スクランブリングコードＳＣ信号、リファレンス信号ＲＳ、報知チャネルＢＣＨ信号、共用／個別制御信号など制御信号を抽出する。
【００７９】
（１）同期チャネルＳＣＨ信号の抽出
制御信号抽出部２９は、チャネルディマッピング部２７から図１１に示したような同期チャネルＳＣＨ信号を取り出し、セルサーチ部３１に出力する。セルサーチ部３１により、受信信号のキャリア周波数オフセット、ＯＦＤＭシンボルタイミングの検出と補正、セルＩＤ（ｃ）とＧＳＩＤ（ｖ）とＲＳＩＤ（ｕ）の検出を行なう（後述）。セルサーチ部３１により、検出したＲＳＩＤ（ｕ）をチャネル推定・ＣＱＩ測定部３０に、ＧＳＩＤ（ｖ）をチャネルディマップング部２７に出力される。ＯＦＤＭシンボルタイミングはＤＦＴ変換部２６などに出力される。チャネルディマップング部２７は、ＧＳＩＤ（ｖ）を用いて、ローカルスクランブリングコードＳＣ（ｇ）を生成し、チャネルディマッピング部２７に入力されたＯＦＤＭシンボルに対して、ディスクランブル処理により、被ったスクランブリングコードＳＣ（ｇ）を削除する。なお、同期チャネルＳＣＨ信号に対しては、送信側ではスクランブル処理していないため、受信信号から直接同期チャネルＳＣＨ信号を分離（抽出）することができる。
【００８０】
（２）リファレンス信号ＲＳの抽出とチャネル推定・ＣＱＩ測定
チャネルディマッピング部２７は、セルサーチ部３１からのＧＳＩＤ（ｖ）を用いて、ローカルスクランブリングコードＳＣ（ｇ）を生成し、ディスクランブル処理を行なう。制御信号抽出部２９は、チャネルディマッピング部２７から図１１（第２リファレンスシンボルの図示なし）と図１４に示したような第１、２リファレンスシンボルを取り出し、チャネル推定・ＣＱＩ測定部３０とセルサーチ部３１に出力する。チャネル推定・ＣＱＩ測定部３０は、第１、２リファレンスシンボルを用いて、無線伝搬路状態の推定（チャネル推定）を行ない、ユーザデータ復調部（図示なし）に出力する。一方、ローカルのリファレンス信号ＲＳを用いて、各ＲＢのリファレンス信号ＲＳの電力を測定し、システムによる予め定義した信号フォーマットに変換し、上りリングを通じて、基地局装置にフィードバックする。なお、第１、２リファレンスシンボルはＧＣＬシーケンスを使用する場合、例えばＲＳＩＤ（ｕ）によりローカルリファレンス信号を生成し、抽出したリファレンス信号ＲＳと相関処理、ＩＤＦＴ変換（周波数領域信号を時間領域に変換）、フィルタリング処理（干渉成分、雑音成分の除去）、ＤＦＴ変換（時間領域信号を周波数領域に変換）の一連処理によりチャネル推定を行なうことができる。
【００８１】
（３）報知チャネルＢＣＨ信号および共用／個別制御信号の抽出
制御信号抽出部２９は、図１１に示した報知チャネルＢＣＨ信号を抽出し、システム固有のパラメータおよび基地局装置／セル固有のパラメータなど報知情報を復調する。各ＲＢの先頭ＯＦＤＭシンボルから、移動局装置所要の共用制御信号、レイヤ１／レイヤ２の制御信号、自局宛てパケットデータに割当てられたＲＢの位置、ＡＭＣＳパラメータなど個別制御情報を取り出し、共用／個別制御信号を復調し、ユーザデータ復調部（図示なし）に出力する。
【００８２】
（４）セルサーチ手順
セルサーチ部３１には、複数セルおよび複数送信アンテナから送られて来た複数のリファレンス信号ＲＳおよび同期チャネルＳＣＨの多重信号が入力されている。セルサーチ部３１では、キャリア周波数オフセット同期、ＯＦＤＭシンボルタイミング同期、無線フレームタイミング同期、セルＩＤ（ｃ）、ＲＳＩＤ（ｕ）、ＧＳＩＤ（ｖ）、セル構成ＩＤ（ｗ）、および各リファレンス信号ＲＳ受信電力の検出を行ない、セルサーチ結果として出力する。ＲＳＩＤ（ｕ）はチャネル推定部３０に出力し、ローカルリファレンス信号ＲＳを生成し、チャネル推定およびＣＱＩ算出を行なう。ＧＳＩＤ（ｖ）はチャネルディマッピング部に出力され、スクランブリングコードのディスクランブル処理を行なう。
【００８３】
図４は、セルサーチ部３１の構成を示すブロック図である。時間・周波数同期部３１ａ、ＳＣＨＩＤ（ｕ）同定部３１ｂ、位相差分処理部３１ｃ、ＩＤＦＴ変換部３１ｄ、電力計算部３１ｅ、最大値検出部３１ｆ、乗算部３１ｇにより構成されている。なお、位相差分処理部３１ｃ、ＩＤＦＴ変換部３１ｄ、電力計算部３１ｅ、および最大値検出部３１ｆは、リファレンス信号処理部３１ｈを構成する。
【００８４】
時間・周波数同期部３１ａは、キャリア周波数オフセットおよびＯＦＤＭシンボルタイミングの検出を行なう。ＳＣＨＩＤ同定部３１ｂは、複数のセルおよび複数の送信アンテナの同期チャネルＳＣＨ多重信号から、最大の受信電力を有する同期チャネルＳＣＨにマッピングされたＳＣＨＩＤ（ｓ）を同定する。ＧＣＬシーケンスの場合、例えばリファレンスシーケンスと同様にＩＤＦＴ方法（後述）により、ＳＣＨＩＤ（ｓ）を同定できる。チャネルディマッピング部２７から、ＧＳＩＤ（ｖ）と対応するスクランブリングコード（ｇ）成分が除去された（ディスクランブリング）リファレンス信号ＲＳの多重信号（複数ＧＣＬシーケンスの多重信号）は、位相差分処理部３１ｃ、ＩＤＦＴ変換部３１ｄ、電力値計算部３１ｅ、および最大電力検出部３１ｆにより最大電力を検出するＩＤＦＴ方法を用いて、最大電力値を有するＲＳＩＤ（ｕ）を同定する。
【００８５】
図５は、以上のように構成されたセルサーチ部３１の動作を示すフローチャートである。ここでは、ＧＳＩＤ（ｖ）、セル構成ＩＤ（ｗ）が挿入された本発明の同期チャネルＳＣＨ信号に対するセルサーチ手順を示す。ステップ１（Ｓ１、第１段）では、キャリア周波数オフセットおよびＯＦＤＭシンボルタイミングの検出は、図４に示した時間・周波数同期部３１ａにより行ない、従来方法（例えば、非特許文献１０、非特許文献１１を参照）と同様であるため省略する。
【００８６】
ステップ２、３（Ｓ２、Ｓ３、第２段）では、図４に示したＳＣＨＩＤ（ｓ）同定部３１ｂにより、複数基地局装置、複数セルおよび複数送信アンテナの同期チャネルＳＣＨ多重信号から、最大の受信電力を有する同期チャネルＳＣＨにマッピングされたＳＣＨＩＤ（ｓ）を同定する。この同期シーケンスの種類（例えば、ＧＣＬシーケンス、直交符号など）、同期シーケンスの各サブキャリアに対するマッピング方法（例えばサブキャリア間連続的またはヌル（Ｎｕｌｌ）サブキャリアの挿入により断続的マッピングする。あるいは、第１の同期チャネルＰ−ＳＣＨと第２の同期チャネルＳ−ＳＣＨに分けるマッピングする）、および同期シーケンスの同定／検出方法（例えば、第１の同期チャネルＰ−ＳＣＨと第２の同期チャネルＳ−ＳＣＨの階層構造を有する同期チャネルＳＣＨの相互相関検出法、あるいは、第２の同期チャネルＳ−ＳＣＨだけの非階層構造を有する同期チャネルＳＣＨの自己相関検出法、あるいは、２者の組み合わせであるハイブリット検出法）について、従来方式が適用できるため省略する。例えばＧＣＬシーケンスの場合、ＩＤＦＴ方法を用いて、最大電力を有するＧＣＬシーケンスインデックスＧＣＬＩＤすなわちＳＣＨＩＤ（ｓ）を検出することができる。
【００８７】
表７は、同定した最大の受信電力を有する同期チャネルＳＣＨマッピングされたＳＣＨＩＤ（ｓ）から、セル構成ＩＤ（ｗ）とＧＳＩＤ（ｖ）算出する一例を示す。例えばＳＣＨＩＤは１２番（ｓ＝１２）の場合、基地局装置送信アンテナ２本とＧＳＩＤが４番（ｖ＝４）であること意味する。
【表７】
2008103959.tif 000010
【００８８】
ステップ４、５（Ｓ４、Ｓ５、第３段）では、複数基地局装置、複数セルおよび複数送信アンテナのリファレンス信号ＲＳの多重信号から、最大の受信電力を有するリファレンス信号ＲＳにマッピングされたＲＳＩＤ（ｕ）を同定する。図（１５）に示したように、ＳＣＩＤ（ｇ）と対応する１つＧＳＩＤ（ｖ）に属するセルのリファレンス信号シーケンスは、式（１）のような異なるＧＣＬＩＤを持つＧＣＬシーケンスがマッピングされているため、図４に示したＧＣＬＩＤの同定方法を利用することができる。
【００８９】
制御信号抽出部２９から送られて来たリファレンス信号ＲＳ多重信号（第２段のＧＳＩＤ（ｖ）によりディスクランブリング処理済み）は、従来方法（非特許文献１２を参照）で、位相差分処理部３１ｃ、ＩＤＦＴ変換部３１ｄ、電力値計算部３１ｅ、および最大電力検出部３１ｆにより最大電力を検出するＩＤＦＴ方法を用いて、最大電力値を有するＲＳＩＤ（ｕ）を同定する。
【００９０】
そして、式（２）に従って、同定されたＧＳＩＤ（ｖ）とＲＳＩＤ（ｕ）の乗算により、セルＩＤ（ｃ）が算出できる。
【００９１】
本発明では、リファレンス信号ＲＳはＧＣＬシーケンスとして説明したが、限定するものではなく、直交符号など他のシーケンスでもよい。同定方法として、ローカルリファレンスシーケンスによる相互相関法でもよい。また、図１９のようにさまざまなリファレンスシーケンスの生成方法を用いてもよい。また、基地局装置送信アンテナ本数とリファレンス信号ＲＳとの対応関係、およびリファレンスシーケンスとの対応関係を限定するものではなく、送信アンテナ間、セル間、および基地局装置間のリファレンス信号ＲＳの多重はＣＤＭ（Ｃｏｄｅ  Ｄｉｖｉｏｎ  Ｍｕｌｔｉｐｌｅｘｉｎｇ）、ＦＤＭ、ＴＤＭ、およびそれらの組み合わせでもよい。チャネル推定、およびセル識別に適した他のリファレンスシーケンスを用いてもよい。また、１つの基地局装置に３つセルとする説明があったが、６つセルなど複数セルでもよい。
【００９２】
本発明では、図１５のようなＧＳＩＤ（ｖ）、ＳＣＩＤ（ｇ）、ＲＳＩＤ（ｕ）の配置関係を示したが、同じＧＳＩＤ（ｖ）に属する基地局装置の間に同じＳＣＩＤ（ｇ）を有するため、スクランブリングコードＳＣにより隣接基地局装置からの干渉信号を白色化する役割が果たせない。図１８に示したように、基地局装置の間の干渉を低減するために、ＧＳＩＤ（ｖ）を維持し、隣接セル間に異なるＳＣＩＤ（ｇ）を配置することもできる。
【００９３】
また、図１９に示したように、他の方法でＧＳＩＤ（ｖ）、ＳＣＩＤ（ｇ）、ＲＳＩＤ（ｕ）を配置することができる。図１９は、まず図１５と同じで、例えば４個の基地局装置に１つのＧＳＩＤ（ｖ）に割当て、１つのＧＳＩＤ（ｖ）に属する４個の基地局装置に異なるＲＳＩＤ（ｕ）のリファレンスシーケンスを割り当て、すなわち１つの基地局装置に属する３つのセル１、２、３に共通のリファレンスシーケンスを割り当て、セル間では、共通のリファレンスシーケンスに対して、周波数領域における位相回転ＰＲ（Ｐｈａｓｅ  Ｒｏｔａｔｉｏｎｓ）によるＣＤＭ多重し、例えばセル１、２、３に位相回転角度φ1＝０、φ２＝２p／３、φ３＝４p／３のように位相回転を有する共通のリファレンスシーケンスを使用する。
【００９４】
図１９に示すように、各セルに対して、ＲＳＩＤ（ｕ）、ＧＳＩＤ（ｖ）、ＳＣＩＤ（ｇ）およびセル間の位相回転ＰＲの配置（マッピング）により、良好なチャネル推定およびセル識別特性が得られると同時にセルＩＤ（ｃ）を識別することもできる。また、図１９は、図１８のように、セル間干渉を考慮し、隣接セル間に異なるＳＣＩＤ（ｇ）を配置することもできる。また、基地局固有の最大システム周波数帯域幅ＢＷ、及び移動局装置の周波数帯域幅について、上記の具体的な周波数の数値ではなく、無線リソースブロックＢＲの個数、またはサブキャリア本数など他の単位で定義してもよい。
【００９５】
（実施形態２）
本発明の実施形態２では、異なるシステム周波数帯域幅（例えば、１．２５ＭＨｚ、２．５ＭＨｚ、５ＭＨｚ、１０ＭＨｚ、２０ＭＨｚ）の基地局装置に適用した同期チャネルＳＣＨの構成およびセルサーチ手順を提案する。実施形態１にＧＳＩＤ（ｖ）を含む同期チャネルＳＣＨの構成、およびＧＳＩＤ（ｖ）とＲＳＩＤ（ｕ）の同定によるセルＩＤ（ｃ）を同定するセルサーチ手順を提案した。しかしながら、表４、５、６に示したように、セル構成ＩＤ総数（Ｗ）とＳＣＨＩＤ総数（Ｓ）が固定した場合、セルＩＤ総数（Ｃ）は、基地局装置のシステム周波数帯域幅ＢＷの減少に伴って減少する。
【００９６】
また、セル構成ＩＤ総数（Ｗ）とセルＩＤ総数（Ｃ）を固定した場合、所要のＳＣＨＩＤ総数（Ｓ）は、基地局装置のシステム周波数帯域幅ＢＷの減少に伴って増大する。さらに、ＳＣＨＩＤ総数（Ｓ）とセルＩＤ総数（Ｃ）を固定した場合、セル構成ＩＤ総数（Ｗ）は、基地局装置のシステム周波数帯域幅ＢＷの減少に伴って減少する。ＥＵＴＲＡシステムにおいて、異なるシステム周波数帯域幅（例えば、１．２５ＭＨｚ、２．５ＭＨｚ、５ＭＨｚ、１０ＭＨｚ、２０ＭＨｚ）基地局装置に適した同期チャネルＳＣＨの構成が望ましい。
【００９７】
（Ａ）実施形態２に係る基地局装置の送信部の構成
本発明に係る基地局装置送信部の構成は実施形態１と類似している。図１を利用して、異なる部分だけを説明する。
【００９８】
（１）同期チャネルＳＣＨ信号の生成
表８は、図２に示したように、同期チャネルＳＣＨにマッピングされた同期シーケンス長さ（例えばＧＣＬシーケンスの長さ）を７９サブキャリア（同期チャネル帯域幅１．２５ＭＨｚ）とする場合、異なるシステム周波数帯域幅に対する所要の同期チャネルＳＣＨ信号計算の一例である。図２０のように異なるシステム周波数帯域幅基地局装置に適応して、複数の同期チャネルＳＣＨ信号、例えば第１の同期チャネルＳＣＨ１および／または第２の同期チャネルＳＣＨ２を用いる同期チャネルＳＣＨ構成を示す。
【００９９】
システム周波数帯域幅は１．２５ＭＨｚ、２．５ＭＨｚ、５ＭＨｚ、１０ＭＨｚの場合（以下、「第１の帯域グループ」と称する）、第１の同期チャネルＳＣＨ１および／または第２の同期チャネルＳＣＨ２で同期チャネルＳＣＨを構成する。システム周波数帯域幅は２０ＭＨｚの場合（以下、「第２の帯域グループ」と称する）、第１の同期チャネルＳＣＨ１だけで同期チャネルＳＣＨを構成する。表８のように、第１の同期チャネルシＳＣＨ１のＳＣＨＩＤ総数（Ｓ１）には、セル構成ＩＤ総数（Ｗ＝１６）を表し、残りは第１のＲＳＩＤ総数（Ｖ１＝４）を表す。
【０１００】
第１の帯域グループの場合、第２の同期チャネルＳＣＨ２が追加され、第２の同期チャネルＳＣＨ２のＳＣＨＩＤ総数（Ｓ２）で、第２のＲＳＩＤ総数（Ｖ２）を表す。第１のＲＳＩＤ総数（Ｖ１）と第２のＲＳＩＤ総数（Ｖ２）の組み合わせでＲＳＩＤ総数（Ｖ＝Ｖ１・Ｖ２）を表す。第１の帯域グループの場合、図２０のように第１の同期チャネルＳＣＨ１と第２の同期チャネルＳＣＨ２で同期チャネルＳＣＨを構成する。第２の帯域グループの場合、図１１のように、第１の同期チャネルＳＣＨ１だけで同期チャネルＳＣＨを構成する。
【０１０１】
表５に示したように、システム周波数帯域幅の減少に伴って、所要のＳＣＨＩＤ総数（Ｓ）が増加する。実施形態１では、基地局装置の送信アンテナ本数、報知チャネルＢＣＨ周波数帯域幅、ＯＦＤＭシンボルのＣＰ長さ、無線フレームタイミングはそれぞれ２状態で、セル構成ＩＤ総数（Ｗ）は１６である仮定で各インデックスの関係を示した。従来方式（非特許文献１３を参照）では、システム周波数帯域幅が１．２５ＭＨｚ、２．５ＭＨｚ、５ＭＨｚの場合、報知チャネルＢＣＨの周波数帯域幅が１．２５ＭＨｚ、システム周波数帯域幅が１０ＭＨｚ、２０ＭＨｚの場合、報知チャネルＢＣＨの周波数帯域幅が５ＭＨｚとする提案がある。
【０１０２】
従来方式に適用できるために、システム周波数帯域幅は１０ＭＨｚの場合、システム周波数帯域幅は２０ＭＨｚと同様に、第１の同期チャネルＳＣＨ１だけで同期チャネルＳＣＨを構成することができる。また、セル固有情報である報知チャネルＢＣＨの周波数帯域幅の２状態は、第１、２の帯域グループに対応させることができる。さらに、非特許文献３のＦｉｇｕｒｅ７．１．２．４．３−２に示したように、すべてのシステム周波数帯域幅に対して、報知チャネルＢＣＨの周波数帯域幅が１．２５ＭＨｚとする提案に対して、報知チャネルＢＣＨの周波数帯域幅の２状態を第１、２の帯域グループの識別子に使用することができる。ＳＣＨＩＤ総数（Ｓ）を変更して、２つの同期チャネルＳＣＨ信号を使用した第１の帯域グループと１つの同期チャネルＳＣＨ信号を使用した第２の帯域グループの組み合わせを調整することができる。
【表８】
2008103959.tif 000011
【０１０３】
また、表９は、第１、２の同期チャネルＳＣＨ１、２は、図６の同期チャネルＳＣＨ構成を使用する場合、または第１、２の同期チャネルＳＣＨ１、２は図７の同期チャネルＳＣＨ構成を使用する場合（第１の同期チャネルＰ−ＳＣＨは基地局装置共通で、第２の同期チャネルＳ−ＳＣＨは同期チャネルＳＣＨシーケンスにマッピングされる）、同期チャネルＳＣＨにマッピングされた同期シーケンス長さ（例えばＧＣＬシーケンスの長さ）を３７サブキャリア（同期チャネル帯域幅１．２５ＭＨｚ）とする場合、異なるシステム周波数帯域幅に対する所要の同期チャネルＳＣＨ計算の一例である。異なるシステム周波数帯域幅の基地局装置に適応して、複数の同期チャネルＳＣＨを用いる同期チャネルＳＣＨ構成が示される。
【表９】
2008103959.tif 000012
【０１０４】
また、第１、２の同期チャネルＳＣＨ１、２は、図２、図６、図７、図８など組み合わせでもよい。
【０１０５】
制御信号生成部１２は、制御データから指定された同期チャネルＳＣＨ１および／またはＳＣＨ２生成情報により同期チャネルＳＣＨ１および／またはＳＣＨ２信号を生成する。同期チャネルＳＣＨ１および／またはＳＣＨ２生成情報には、基地局装置のシステム周波数帯域幅ＢＷ、無線フレームにおける同期チャネルＳＣＨ１、２信号の挿入位置、繰り返し回数、第１の同期チャネルＰ−ＳＣＨおよび／または第２の同期チャネルＳ−ＳＣＨの物理信号構成など情報が含まれている。本発明はこれらの情報に関する限定が特になく、同期チャネルＳＣＨ（Ｐ−ＳＣＨとＳ−ＳＣＨ）に含まれる同期関連固有情報の１つまたは２つである第１のＳＣＨＩＤ（ｓ１）および／または第２のＳＣＨＩＤ（ｓ２）に着目したものである。
【０１０６】
制御信号生成部１２は、制御データから指定されたセルＩＤ（ｃ）の間接情報である第１のＧＳＩＤ（ｖ１）および／または第２のＧＳＩＤ（ｖ２）、帯域グループ情報を含むセル構成ＩＤ（ｗ）を同期シーケンス生成式に代入し、所定の同期シーケンスを生成し、チャネルマッピング部１３に出力する。チャネルマッピング部１３は、図２０のような同期チャネルＳＣＨ１、２を生成する。第１、２のＧＳＩＤ（ｖ１、ｖ２）およびセル構成ＩＤ（ｗ）から第１、２のＳＣＨＩＤ（ｓ１、ｓ２）を算出方法として、予め定義された変換式、あるいは変換テーブルを用いて算出することができる。
【０１０７】
（Ｂ）実施形態２に係る移動局装置の受信部の構成
本発明に係る移動局装置受信部の構成は実施形態１と類似している。図３を利用して、異なる部分だけを説明する。
【０１０８】
（１）同期チャネルＳＣＨ信号の抽出
制御信号抽出部２９は、チャネルディマッピング部２７から図２０に示したような同期チャネルＳＣＨ１および／またはＳＣＨ２信号を取り出し、セルサーチ部３１に出力する。まず、図４に示したＳＣＨＩＤ（ｓ）同定部３１ｂにより、同期チャネルＳＣＨ１に含まれている第１のＧＳＩＤ（ｖ１）とセル構成ＩＤ（ｗ）を同定する。セル構成ＩＤ（ｗ）から報知チャネルＢＣＨの周波数帯域幅（或は第１、２の帯域グループ）の状態を判断し、後続の第２の同期チャネルＳＣＨ２の有無を判断する。第２の同期チャネルシンボルＳＣＨ２がある場合、抽出されたデータ信号（第２の同期チャネルＳＣＨ２の部分信号）に対して、第２のＧＳＩＤ（ｖ２）を同定し、ＧＳＩＤ（ｖ）を算出する。
【０１０９】
本発明では、制御信号抽出部２９により予め同期チャネルＳＣＨ１および／またはＳＣＨ２信号相当部分のデータ信号を抽出（複製）すること、先に同期チャネルＳＣＨ１信号を抽出し、後続の第２の同期チャネルＳＣＨ２があると判断された場合、制御信号抽出部２９に制御信号を出し、第２の同期チャネルＳＣＨ２を抽出することにしてもよい。
【０１１０】
（２）セルサーチ手順
図９は、第１、２の第１の同期チャネルＳＣＨ１、ＳＣＨ２を考慮し、セルＩＤ（ｃ）の間接情報であるＧＳＩＤ（ｖ）、基地局装置の送信アンテナ数、報知チャネルＢＣＨ周波数帯域幅（或は第１、２の帯域グループ）情報などセル構成ＩＤ（ｗ）が挿入された本発明の同期チャネルＳＣＨ信号に対するセルサーチ手順を示す。
【０１１１】
ステップ１（Ｔ１、第１段）は、実施形態１と同様のため説明を省略する。ステップ２、３、４、５（Ｔ２、３、４、５）で第２段を表す。ステップ２（Ｔ２）では、図４に示したＳＣＨＩＤ（ｓ）同定部３１ｂにより、複数セルおよび複数送信アンテナの第１の同期チャネルＳＣＨ１多重信号から、最大の受信電力を有する第１の同期チャネルＳＣＨ１にマッピングされたＳＣＨＩＤ（ｓ１）を同定する。この第１の同期シーケンスの種類および同定／検出方法は実施形態１と同様のため説明を省略する。同定されたＳＣＨＩＤ（ｓ１）から、セル構成ＩＤ（ｗ）と第１のＧＳＩＤ（ｖ１）を算出する。
【０１１２】
ステップ３（Ｔ３）は、図４に示したＳＣＨＩＤ（ｓ）同定部３１ｂにより、算出されたセル構成ＩＤ（ｗ）から報知チャネルＢＣＨの周波数帯域幅（或は第１、２の帯域グループ）の状態を判断し、後続の第２の同期チャネルＳＣＨ２の有無を判断する。第２の同期チャネルシンボルＳＣＨ２がない場合、実施形態１と同じ、ステップ６、７（Ｔ６、７）による最終的に第１のＧＳＩＤ（ｖ１）とＲＳＩＤ（ｕ）の乗算により、セルＩＤ（ｃ）が算出できる。
【０１１３】
ステップ３（Ｔ３）で後続の第２の同期チャネルＳＣＨ２があると判断された場合、ステップ４（Ｔ４）による第２の同期チャネルＳＣＨ２にマッピングされたＳＣＨＩＤ（ｓ２）を同定する。この第２の同期シーケンスの種類および同定／検出方法は実施形態１と同様のため説明を省略する。同定されたＳＣＨＩＤ（ｓ２）から、第２のＧＳＩＤ（ｖ２）を算出し、さらにステップ６、７（Ｔ６、７）によるＲＳＩＤ（ｕ）との乗算によりセルＩＤ（ｃ）が算出できる。
【０１１４】
本発明では、セル構成ＩＤ（ｗ）から報知チャネルＢＣＨの周波数帯域幅（或は第１、２の帯域グループ）の状態を判断する方法を提示したが、第１、２の同期チャネルＳＣＨ１、２の構造設計により、ステップ１（第１段）において、すなわち、周波数・時間同期の段階で判断することもできる。
【０１１５】
（実施形態３）
本発明の実施形態３では、異なる周波数帯域幅（例えば、１０ＭＨｚ、２０ＭＨｚ）を持つ移動局クラスの移動局装置に対して、２０ＭＨｚシステム周波数帯域幅を有する基地局装置に適用した同期チャネルＳＣＨの構成およびセルサーチ手順を提案する。
【０１１６】
実施形態１、２において、表１に示したように、リファレンスシーケンス長さ（Ｎｄ）は全システム周波数帯域幅に合わせてマッピングされている。２０ＭＨｚ基地局装置の下りリンク信号を１０ＭＨｚ移動局装置で受信する場合、リファレンスシーケンスの一部しか受信できない。ＲＳＩＤ（ｕ）の検出特性劣化に繋がる。２０ＭＨｚの帯域幅を使用する基地局装置に対して、１０ＭＨｚの帯域幅を使用する移動局装置の使用すべき周波数帯域位置指定（中心周波数シフト）の方法が示されている（非特許文献３を参照）。図２１を参照しながら説明する。移動局装置は、まず同期チャネルＳＣＨおよびリファレンス信号ＲＳを使ってセルサーチ（初期セルサーチ、待受け中セルサーチ、通信中セルサーチ）を行なう。
【０１１７】
具体的には移動局装置は、電源オンした場合、まずＷ−ＣＤＭＡのチャネル番号ＵＡＲＦＣＮ（周波数ラスター：２００ＫＨｚ）間隔でバンドサーチを行ない、２０ＭＨｚ帯域幅の中心１．２５ＭＨｚで有効なセル信号が検出された場合、同期チャネルＳＣＨおよびリファレンス信号ＲＳを使って初期セルサーチを行なう。セルサーチが終了後、報知チャネルＢＣＨを受信する。報知チャネルＢＣＨには、移動局装置それぞれが使用すべき周波数帯域情報（周波数シフト情報）が含まれている。２０ＭＨｚ帯域幅の中心１．２５ＭＨｚで待ち受けを行なう。待受けモードからアクティブモードに移行する場合、移動局装置は、その制御情報に従って使用周波数帯域位置（中心キャリア周波数シフト）へ移動し、パケットデータの転送を開始する。１０ＭＨｚ移動局装置に対して基地局中心周波数ｆｃの対称に、またはｆｃの左右に１０ＭＨｚ帯域幅の３つのケースが考えられる。
【０１１８】
（Ａ）実施形態３に係る基地局装置の送信部の構成
本発明に係る基地局装置送信部の構成は実施形態１、２と類似している。図１を利用して、異なる部分だけを説明する。
【０１１９】
（１）リファレンス信号ＲＳの生成
基地局装置のシステム周波数帯域幅ＢＷは１０ＭＨｚ以下の場合、制御信号生成部１２は、実施形態１、２と同じ、図１１（第２リファレンスシンボルの図示なし）と図１４のような第１、２リファレンスシンボルを生成する。システム周波数帯域幅ＢＷは２０ＭＨｚの場合、図１２のように第１、２リファレンス信号ＲＳ１、２でリファレンスシンボルを生成する。第１、２リファレンス信号ＲＳ１、２には、同じＧＣＬシーケンス長さ（ＮＧ＝１０１）をマッピングする。実施形態１、２における各表は２０ＭＨｚ基地局装置の欄は、１０ＭＨｚ基地局装置の欄で書き直すことができる。
【０１２０】
（Ｂ）実施形態３に係る移動局装置の受信部の構成
本発明に係る移動局装置受信部の構成は実施形態１と類似している。図３を利用して、異なる部分だけを説明する。
【０１２１】
（１）リファレンス信号ＲＳの抽出
制御信号抽出部２９は、チャネルディマッピング部２７から図１１（第２リファレンスシンボルの図示なし）と図１４に示したような第１、２リファレンスシンボルを取り出し、チャネル推定・ＣＱＩ測定部３０とセルサーチ部３１に出力する。
【０１２２】
チャネル推定・ＣＱＩ測定部３０では、基地局装置のシステム周波数帯域幅ＢＷは２０ＭＨｚの場合、第１、２リファレンス信号ＲＳ１、２が含む第１、２リファレンスシンボルを用いて、無線伝搬路状態の推定（チャネル推定）を行ない、ユーザデータ復調部（図示なし）に出力する。一方、ローカルの第１、２リファレンス信号ＲＳ１、２を用いて、各ＲＢのリファレンス信号ＲＳの電力を測定し、システムによる予め定義した信号フォーマットに変換し、上りリングを通じて、基地局装置にフィードバックする。
【０１２３】
（２）セルサーチ手順
移動局装置は、初期セルサーチ、待受け中セルサーチ及び通話中セルサーチを行う場合、基地局中心周波数ｆｃを対称とした１０ＭＨｚの同期チャネルＳＣＨおよびリファレンス信号ＲＳを使うことができる。初期セルサーチ、待受け中セルサーチ及び通話中セルサーチ手順は、実施形態２に示したように、報知チャネルＢＣＨの周波数帯域幅の２状態、または第１、２の帯域グループを識別し、２０ＭＨｚシステム周波数帯域幅を有する基地局装置と判定された場合に、受信したリファレンス信号ＲＳを基地局中心周波数ｆｃの対称に、左右交換してからＲＳＩＤ（ｕ）の同定を行なうことができる。また、報知チャネルＢＣＨの周波数帯域幅の２状態、または第１、２の帯域グループの識別を行なう必要がない。第１、２の同期チャネルＳＣＨ１、２を使用することもできる。
【０１２４】
セルサーチ手順は、基本的に実施形態１、２を利用することができるが、２０ＭＨｚ基地局装置および１０ＭＨｚの移動局装置であることが判断された場合、受信したリファレンス信号ＲＳを基地局中心周波数ｆｃの対称に、左右交換してからＲＳＩＤ（ｕ）の同定を行なう。また、２０ＭＨｚ基地局装置および２０ＭＨｚの移動局装置であることが判断され、且つ第１、２リファレンス信号ＲＳ１、２が等しい場合、第１、２リファレンス信号ＲＳ１、２の平均処理によりＲＳＩＤ（ｕ）の同定を行ない、セルサーチ特性を向上できる。
【０１２５】
上記各実施形態のように、異なる基地局装置のシステム周波数帯域幅ＢＷに対して、基地局装置の送信部１０、および異なる周波数帯域幅を持つ移動局クラスの移動局装置の受信部２０の構成、すなわち、それぞれのサンプリング周波数、フィルター帯域幅、メモリ容量などハードウェアおよび上記各種パラメータを含むソフトウェア構成が異なっている。基地局装置、および移動局装置は、共通のハードウェアおよびソフトウェアプラットフォームを利用して、ハードウェアおよびソフトウェアの切り替えにより実現する、または特定のハードウェアおよびソフトウェアを利用して、異なる周波数に固定により実現することができる。または、時間、場所などさまざまな条件従って適応的に変更することもできる。このようなさまざまな構成方法を持つ基地局装置および移動局装置に本発明も適用できる。
【図面の簡単な説明】
【０１２６】
【図１】基地局装置の送信部の構成を示すブロック図である。
【図２】同期チャネルにマッピングされた同期シーケンス長さを示す図である。
【図３】移動局装置の受信部の構成を示すブロック図である。
【図４】セルサーチ部の構成を示すブロック図である。
【図５】セルサーチ部の動作を示すフローチャートである。
【図６】同期チャネルの構成を示す図である。
【図７】同期チャネルの構成を示す図である。
【図８】同期チャネルの構成を示す図である。
【図９】セルサーチ部の動作を示すフローチャートである。
【図１０】３ＧＰＰの提案をベースに想定されているＥＵＴＲＡの下りリンク無線フレーム構成を示す図である。
【図１１】同期チャネルＳＣＨのマッピング例を示す図である。
【図１２】ＥＵＴＲＡの下りリンク無線フレーム構成の１つＲＢにおけるリファレンス信号ＲＳのマッピング例を示す図である。
【図１３】スクランブリングコードＳＣのマッピング例を示している。
【図１４】基地局装置が複数送信アンテナ（１〜４）を持つ場合のリファレンス信号シーケンスマッピングの例を示す。
【図１５】ＧＳＩＤ（ｖ）とＲＳＩＤ（ｕ）の組み合わせで、セルＩＤ（ｃ）を表す方法の例を示す。
【図１６】ＥＵＴＲＡ／ＥＵＴＲＡＮシステムにおけるセルサーチ手順の例を示す。
【図１７】Ｗ−ＣＤＭＡ方式に使われているスクランブリンググループＳＧ概念を利用して、リファレンス信号ＲＳを用いて、セルＩＤ（ｃ）を同定する様子を示す図である。
【図１８】基地局装置間干渉を考慮し、隣接基地局間に異なるＳＣＩＤ（ｇ）を配置した例を示す図である。
【図１９】他のリファレンスシーケンスの配置例を示す図である。
【図２０】異なるシステム周波数帯域幅基地局装置に適応して、複数の同期チャネルＳＣＨ信号、例えば第１の同期チャネルＳＣＨ１および／または第２の同期チャネルＳＣＨ２を用いる同期チャネルＳＣＨ構成を示す図である。
【図２１】２０ＭＨｚシステム周波数帯域幅を使用する基地局装置に対して、１０ＭＨｚの帯域幅を使用する移動局装置の使用すべき周波数帯域位置指定（中心周波数シフト）の方法を示す図である。
【符号の説明】
【０１２７】
１０  基地局装置（送信部）
１１  Ｓ／Ｐ変換部
１２  制御信号生成部
１３  チャネルマッピング部
１４  ＩＤＦＴ部
１５  Ｐ／Ｓ変換部
１６  ＣＰ挿入部
１７  ＤＡＣ処理部
１８  無線部（ＴＸ）
１９  送信アンテナ
２０  移動局装置（受信部）
２１  受信アンテナ
２２  無線部（ＲＸ）
２３  ＡＤＣ処理部
２４  ＣＰ削除部
２５  Ｓ／Ｐ変換部
２６  ＤＦＴ変換部
２７  チャネルディマッピンング部
２８  Ｐ／Ｓ変換部
２９  制御信号抽出部
３０  チャネル推定・ＣＱＩ測定部
３１  セルサーチ部
３１ａ  時間・周波数同期部
３１ｂ  同期シーケンスインデックスＳＣＨＩＤ同定部
３１ｃ  位相差分処理部
【図１】
2008103959.tif 000013
【図２】
2008103959.tif 000014
【図３】
2008103959.tif 000015
【図４】
2008103959.tif 000016
【図５】
2008103959.tif 000017
【図６】
2008103959.tif 000018
【図７】
2008103959.tif 000019
【図８】
2008103959.tif 000020
【図９】
2008103959.tif 000021
【図１０】
2008103959.tif 000022
【図１１】
2008103959.tif 000023
【図１２】
2008103959.tif 000024
【図１３】
2008103959.tif 000025
【図１４】
2008103959.tif 000026
【図１５】
2008103959.tif 000027
【図１６】
2008103959.tif 000028
【図１７】
2008103959.tif 000029
【図１９】
2008103959.tif 000030
【図２０】
2008103959.tif 000031
【図２１】
2008103959.tif 000032
【図１８】
2008103959.tif 000033